(57)【要約】【課題】ユーザの外耳道の傾斜角度に応じて装着性を向上可能なヘッドホンを提供する。【解決手段】ドライバユニット１３２を収容するハウジング１３０と、ハウジングから所定の方向に突設してドライバユニットから発生した音を挿入によって装着された外耳道に導く音導管１３６と、音導管の先端に取付けられたイヤピース１３８と、外耳道の奥行き方向と略同一かつ音導管の突設方向に対して傾斜した方向で設けられた支持軸１５０を介して、ハウジングが回動可能に支持されたハンガー１１０と、を備える。かかる構成によれば、支持軸を介してハンガーに対してハウジングを回転させることで、ハンガーに対する音導管の突設方向が調節可能となる。これにより、ユーザの外耳道の傾斜角度に応じて音導管の突設方向を調節することで、ヘッドホンの装着性を向上させることができる。【選択図】図７
2009171303.tif 000002
【特許請求の範囲】
【請求項１】
ドライバユニットを収容するハウジングと、
前記ハウジングから所定の方向に突設してドライバユニットから発生した音を挿入によって装着された外耳道に導く音導管と、
前記音導管の先端に取付けられたイヤピースと、
前記外耳道の奥行き方向と略同一かつ前記音導管の突設方向に対して傾斜した方向で設けられた支持軸を介して、前記ハウジングが回動可能に支持されたハンガーと、
を備えたことを特徴とする、ヘッドホン。
【請求項２】
前記ハウジングは、前記音導管の突設方向が装着時の水平面を基準として０°〜±４０°の範囲で可動となるように、前記支持軸を介して前記ハンガーに対して回動可能に支持されたことを特徴とする、請求項１に記載のヘッドホン。
【請求項３】
前記ハウジングは、前記音導管の突設方向が装着時の水平面を基準として仰角方向で０°〜４０°の範囲で可動となるように、前記支持軸を介して前記ハンガーに対して回動可能に支持されたことを特徴とする、請求項２に記載のヘッドホン。
【請求項４】
前記支持軸は、ネジ部材であることを特徴とする、請求項１に記載のヘッドホン。
【請求項５】
前記ハウジングは、前記ハウジングおよび前記ハンガーに設けられたリブを介して前記ハンガーに対する回転角度を規制されることを特徴とする、請求項１に記載のヘッドホン。
【発明の詳細な説明】
【技術分野】
【０００１】
本発明は、ヘッドホンに関する。
【背景技術】
【０００２】
近年、若者を中心として時間および場所を問わずに音楽を聴くという習慣が広まっている。このため、周囲への音漏れ防止および音響特性の向上の観点から、音導管を外耳道に挿入して装着するヘッドホンの需要が高まっている。
【０００３】
この種のヘッドホンは、ドライバユニットを収容したハウジングがバンド、ハンガーなどの端部に支持され、例えば、ユーザの頭頂部、側頭部、後頭部などにバンドを装着し、またはユーザの耳介にハンガーを装着した状態で使用される。そして、ヘッドホンは、バンド、ハンガーを装着した状態で、ハウジングから突設した音導管を外耳道に挿入して使用される。
【０００４】
また、この種のヘッドホンは、音導管の先端に弾性のイヤピースを設けることにより、装着性を向上させ、外耳道に対する気密性を維持することにより、周囲への音漏れを防止し、音響特性を向上させている。
【０００５】
ところで、音導管が挿入される外耳道は、耳介の正面を基準とした場合に、奥行き方向（鼓膜の方向）に向けて傾斜している。このため、音導管は、ユーザがバンド、ハンガーを装着した状態で、耳介の正面に対して所定の傾斜角度を有するようにハウジングから突設している。
【０００６】
ヘッドホンの装着性を向上させるための従来技術として、例えば、以下の特許文献１〜４に記載される発明が挙げられる。
【０００７】
特許文献１は、ユーザの耳介の位置に合うように左右ハウジングが係合手段を介してバンドの両端部で移動可能となるようにしたヘッドホンを開示している。
【０００８】
特許文献２は、ガイドの屈曲部の一端にハウジングを支持する支持部を設け、他端にハウジングに向けてユーザの耳介背面を弾性的に押圧する押圧部を設け、ハウジングの振動板を、ガイドの屈曲部で構成する面に略垂直で、かつユーザの顔面側に配置したヘッドホンを開示している。
【０００９】
特許文献３は、ハウジングと、耳掛け用に湾曲形状に形成されハウジングを支持する支持部材とを有し、一端が支持部材に固定されると共に他端が当該支持部材に対して摺動自在に取り付けられた軟質の可撓部材を設け、可撓部材の他端を支持部材に対して摺動させるようにして、ハウジングを中心とする可撓部材との距離を調整するようにしたヘッドホンを開示している。
【００１０】
特許文献４は、一端および他端がユーザの左右の耳介の上端近傍の側頭部により保持され、中間部がユーザの後頭部に位置する形状の略Ｕ字形状のバンドと、バンドに接続された左右の連結部材と、連結部材によりバンドに吊り下げられた状態で連結される左右のハウジングとを備えたヘッドホンを開示している。
【００１１】
【特許文献１】特開２００１−１８９９８２号公報
【特許文献２】特開２００３−１４３６８０号公報
【特許文献３】特開２００６−９４００６号公報
【特許文献４】特開２００７−１３８７３号公報
【発明の開示】
【発明が解決しようとする課題】
【００１２】
しかし、外耳道の奥行き上下左右方向の傾斜角度には個人差がある。よって、ユーザの頭部・耳介の形状・サイズ、特に外耳道の傾斜角度によっては、ヘッドホンの装着性が低下し、および／または、外耳道に対する気密性が維持できなくなる場合がある。
【００１３】
そして、上記特許文献１〜４は、ヘッドホンの装着性を向上させるための技術を開示するものであるが、ユーザの外耳道の傾斜角度に応じて装着性を向上させるものではない。
【００１４】
本発明は上記問題点に鑑みてなされたものであり、その目的は、ユーザの外耳道の傾斜角度に応じて装着性を向上可能な、新規かつ改良されたヘッドホンを提供することにある。
【課題を解決するための手段】
【００１５】
上記課題を解決するために、本発明のある観点によれば、ドライバユニットを収容するハウジングと、ハウジングから所定の方向に突設してドライバユニットから発生した音を挿入によって装着した外耳道に導く音導管と、音導管の先端に取付けられたイヤピースと、外耳道の奥行き方向と略同一かつ音導管の突設方向に対して傾斜した方向で設けられた支持軸を介して、ハウジングが回動可能に支持されたハンガーと、を備えたヘッドホンが提供される。
【００１６】
かかる構成によれば、支持軸を介してハンガーに対してハウジングを回転させることで、ハンガーに対する音導管の突設方向が調節可能となる。これにより、ユーザの外耳道の傾斜角度に応じて音導管の突設方向を調節することで、ヘッドホンの装着性を向上させることができる。
【００１７】
また、上記ハウジングは、音導管の突設方向が装着時の水平面を基準として０°〜±４０°の範囲、特に仰角方向で０°〜４０°の範囲で可動となるように、支持軸を介してハンガーに対して回動可能に支持されてもよい。これにより、一般的なユーザにおける外耳道の傾斜角度に対応するように、音導管の突設方向を調節することができる。
【００１８】
また、上記支持軸は、ネジ部材でもよい。これにより、ハンガーに対するハウジングの回転が簡単な構造で実現可能となるので、ヘッドホンの小型軽量化が容易となる。
【００１９】
また、上記ハウジングは、ハウジングおよびハンガーに設けられたリブを介してハンガーに対する回転角度を規制されてもよい。これにより、ハンガーに対するハウジングの回転角度が簡単な構造で規制可能となるので、ヘッドホンの小型軽量化が容易となる。
【発明の効果】
【００２０】
本発明によれば、ユーザの外耳道の傾斜角度に応じて装着性を向上可能なヘッドホンを提供することができる。
【発明を実施するための最良の形態】
【００２１】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００２２】
図１は、本発明の一実施形態に係るヘッドホン１００の装着状態を示す説明図である。図１は、ヘッドホン１００を装着したユーザを正面から見た場合（ａ）、および左側面から見た場合の装着状態を示している。図１には、バンド（ヘッドバンド１６０）が後頭部を通るヘッドバンド形式のヘッドホン１００が示されている。
【００２３】
以下では、本発明が図１に示す形式のヘッドホン１００に適用される場合について主に説明する。しかし、本発明は、図１に示す形式のヘッドホンに限定されず、例えばバンドが頭頂部を通るヘッドバンド形式、ネックバンド形式、アンダーチンバンド形式などのバンド形式のヘッドホン、またはヘッドセットにも同様に適用可能である。さらに、本発明は、バンド形式に限定されず、耳介に引掛けられるハンガーを有するハンガー形式のヘッドホン、またはヘッドセットにも同様に適用可能である。
【００２４】
図１に示すように、ヘッドホン１００は、左右一対のヘッドホンユニット（以下ではユニットとも称する。）が両端に取り付けられたヘッドバンド１６０を有する。ヘッドホン１００では、一対のユニット間を接続するコード１７０がヘッドバンド１６０と一体化され、一方のユニット（図１では左側ユニットに相当する。）からプラグ付コード１７０として引出されている。
【００２５】
図２は、本実施形態に係るヘッドホン１００の外観を示す説明図である。なお、図２には、左側ユニットのみが示されているが、右側ユニットは、プラグ付コード１７０の部分を除いて、左側ユニットと鏡面対称構造を有する。なお、図２では、プラグ付コード１７０の表示を省略している。
【００２６】
図２に示すように、ヘッドホン１００は、一対のユニット、および一対のユニットが両端に取付けられたヘッドバンド１６０によって構成されている。ユニットは、略円筒状のハンガー１１０を有し、ハンガー１１０に対して、ユーザの耳介に引掛けられて後頭部に沿うように湾曲されたヘッドバンド１６０が取付けられている。
【００２７】
ハンガー１１０は、下部の所定位置に耳介方向へ突出した所定長のアーム部１２０が設けられ、ヘッドホン１００の装着時に耳介に対してユーザの顔面側にハンガー１１０が位置するように形成されている。また、ハンガー１１０は、アーム部１２０の先端にドライバユニット１３２を収容するハウジング（リアハウジング）１３０が取付けられ、ハウジング１３０から所定の方向に突設した音導管１３６（フロントハウジング１３４の一部に相当する。）の先端に弾性イヤピース１３８が取付けられている。
【００２８】
ハンガー１１０は、上端に対して、耳介上部の形状に沿って湾曲されたヘッドバンド１６０の耳掛け部１６２が取付けられている。なお、ハンガー１１０は、ユーザの耳介に引掛けられるものではなく、イヤピース１３８が外耳道に挿入された状態で、ヘッドバンド１６０の耳掛け部１６２を保持するように形成されている。
【００２９】
ヘッドバンド１６０は、略円弧状の耳掛け部１６２が耳介に引掛けられ、他の部分１６４が後頭部に沿って保持されるように形成されている。ここで、ヘッドバンド１６０は、耳掛け部１６２の形状および後頭部の形状に沿うように湾曲された弾性ワイヤ１６６（不図示）が内部に挿通されており、ヘッドホン１００の装着時にヘッドバンド１６０の形状が容易に変形しないように構成されている。なお、ヘッドバンド１６０は、外表面に例えばプリプロピレン（ＰＰ）、ポリブチレンテレフタラート（ＰＢＰ）などの合成樹脂からなる弾性体が用いられる。
【００３０】
図３は、ユニットの構成要素のうち特にハンガー１１０の詳細を示す説明図である。図３には、ユニットの構成要素の分解斜視図が示されている。
【００３１】
図３に示すように、ハンガー１１０は、略Ｔ字形状の筐体１１２に対して、同様の略Ｔ字形状を呈し僅かに小さな蓋体１１４が爪部を介して嵌合され、アーム部１２０と一体化して構成される。また、ハンガー１１０は、筐体１１２の下方端１１２ａに対して、化粧リング１１６を介してエンドキャップ１１７が取付けられている。
【００３２】
ハンガー１１０は、アーム部１２０の先端にドライバユニット１３２を収容するハウジング１３０がワッシャ１５２を介して雄ネジ１５０により取付けられている。ここで、雄ネジ１５０は、詳細は後述するが、外耳道の奥行き方向と略同一かつ音導管１３６の突設方向に対して傾斜した方向で設けられ、ハンガー１１０に対してハウジング１３０を支持する支持軸として機能する。
【００３３】
ハウジング１３０には、ドライバユニット１３２、レジスタ１３３、フロントハウジング１３４、およびイコライザ１３７を介して、音導管１３６の先端にイヤピース１３８が取付けられている。また、ハンガー１１０は、アーム部１２０の先端にハウジング１３０と逆向きで化粧キャップ１３９が嵌合されている。
【００３４】
ハンガー１１０は、筐体１１２の上方端１１２ｂの貫通孔を介してヘッドバンド１６０およびコード１７０が挿通され、ヘッドバンド１６０に内挿された弾性ワイヤ１６６の端部が筐体１１２の係合部１１８と係合されることにより、ヘッドバンド１６０が筐体１１２に対して取付けられている。弾性ワイヤ１６６は、前述したように、耳掛け部１６２の形状および後頭部に沿う他の部分１６４の形状に沿って湾曲された状態でヘッドバンド１６０の内部に挿通されており、ヘッドホン１００の装着時に略円弧状の耳掛け部１６２が耳介に対して引掛けられ、他の部分１６４が後頭部に沿った状態で、ヘッドバンド１６０の形状が容易に変形しないように構成されている。
【００３５】
コード１７０のうち左チャネル用の芯線Ｒおよびグランド線Ｇは、筐体１１２のアーム部１２０を通じてドライバユニット１３２に接続される。また、コード１７０のうち右チャネル用の芯線ｒおよびグランド線ｇは、筐体１１２の内部で折返され、右側ユニットのドライバユニット（不図示）と接続するためのワタリ線１７２の右チャネル用の芯線ｒおよびグランド線ｇと接続される。なお、コード１７０は、取付けスライダ１６８をヘッドバンド１６０に沿って摺動させることで、ヘッドバンド１６０からの分岐点を移動可能な状態で、ヘッドバンド１６０と一体化される。
【００３６】
図４は、ヘッドホン１００の装着状態を詳細に示す説明図である。図４は、ヘッドホン１００が装着された耳介の正面図（ａ）、およびＡ−Ａ線沿いでの耳介の断面図を示している。
【００３７】
図４（ａ）に示すように、ヘッドホン１００は、音導管１３６の先端に取付けられたイヤピース１３８が外耳道に挿入された状態で、ハンガー１１０によってヘッドバンド１６０の耳掛け部１６２が保持されるように装着される。
【００３８】
前述したように、イヤピース１３８を介して音導管１３６が挿入される外耳道は、耳介の正面を基準とした場合に、奥行き方向（鼓膜の方向）に向けて傾斜している。このため、音導管１３６は、ヘッドホン１００が装着された状態で、耳介の正面に対して所定の傾斜角度を有するようにハウジング１３０から突設し、先端に弾性イヤピース１３８が取付けられている。ここで、音導管１３６の突設方向は、一般的なユーザの外耳道の傾斜角度に概ね適合するように設定されている。これにより、ヘッドホン１００の装着性、および外耳道に対する気密性が確保される。
【００３９】
しかし、外耳道の奥行き上下左右方向の傾斜角度には個人差がある。よって、ユーザの頭部・耳介の形状・サイズ、特に外耳道の傾斜角度によっては、ヘッドホン１００の装着性が低下し、および／または、外耳道に対する気密性が維持できなくなる場合がある。このため、本実施形態に係るヘッドホン１００は、ユーザの外耳道の傾斜角度に応じて音導管１３６の突設方向を調節するための調節機構を有することにより、装着性を向上させるものである。
【００４０】
図５は、音導管１３６の突設方向を調節するための調節機構を示す説明図である。図５には、ハウジング１３０の下面（ａ）、ハンガー１１０のアーム部１２０の先端上面（ｂ）、およびアーム部１２０の先端下面（ｃ）が示されている。また、図６は、ハンガー１１０とハウジング１３０との組立状態を示す説明図である。
【００４１】
図５（ａ）に示すように、ハウジング（リアハウジング）１３０の下面（アーム部１２０との接続面）には、アーム部１２０の側に突設した略円筒状の断面を有する接続部１４１が設けられている。
【００４２】
接続部１４１の中央には、内周面沿いに雌ネジ１４３が設けられた環状の断面を有し、アーム部１２０の先端に設けられた被接続部１２１の接続凹部１２２に嵌合される接続凸部１４２が設けられている。
【００４３】
接続凸部１４２の周辺には、ハンガー１１０とドライバユニット１３２との間に渡されるコード１７０を挿通するコード挿通孔１４６が設けられている。コード挿通孔１４６は、ハンガー１１０に対するハウジング１３０の回転時にコード１７０のねじれが生じることを防止するために、ねじれ防止用の空間を有する長円形状の溝として形成されている。接続凸部１４２の周辺には、ハンガー１１０に対するハウジング１３０の回転角度を規制する扇形の凹状リブ１４４が設けられている。
【００４４】
図５（ｂ）、（ｃ）に示すように、アーム部１２０の先端は、上面（ハウジング１３０との接続面）にハウジング１３０の接続部１４１の外径より僅かに大きな内径の内空断面を有する被接続部１２１が設けられている。また、アーム部１２０の先端は、下面（ハウジング１３０との接続面と反対側の面）に円形の内空断面を有するワッシャ凹部１２４、および化粧キャップ１３９が嵌合される嵌合溝１２６が設けられている。
【００４５】
被接続部１２１の中央には、ハウジング１３０の接続凸部１４２の外径より僅かに大きな内径の内空断面を有し、ワッシャ凹部１２４と連通してアーム部１２０の先端を貫通する接続凹部１２２が設けられている。また、接続凹部１２２の内周面には、ハンガー１１０に対するハウジング１３０の回転時に、接続凸部１４２と接続凹部１２２との間で生じる摩擦音（バードコール）を抑制するために、半円状のリブ１２３が数箇所で設けられている。
【００４６】
接続凹部１２２の周辺には、ハウジング１３０の凹状リブ１４４に係合することで、ハンガー１１０に対するハウジング１３０の回転角度を規制する扇形の凸状リブ１２４が設けられている。また、接続凹部１２２の周辺には、ハンガー１１０とハウジング１３０との組立時に、左側ユニットと右側ユニットとの間で、ハンガー１１０およびハウジング１３０の組合せ間違いを防止する逆差し防止用の突起１２７が設けられている。なお、ハウジング１３０の接続部１４１には、ハンガー１１０およびハウジング１３０の組合せが正しい場合に突起１２７が係合される係合溝１４７が設けられている。
【００４７】
なお、ハンガー１１０とハウジング１３０との間では、接続部１４１を凸状に設けて被接続部１２１を凹状に設ける代わりに、接続部１４１を凹状に設けて被接続部１２１を凸状に設けてもよく、接続凸部１４２および接続凹部１２２の配置を変更してもよい。また、扇状リブ１２４、１４４以外の構造によって、ハンガー１１０に対するハウジング１３０の回転角度を規制してもよい。
【００４８】
図６に示すように、ハウジング１３０は、まず、接続凸部１４２をアーム部１２０の接続凹部１２２に嵌合させ、かつ、凹状リブ１４４をアーム部１２０の凸状リブ１２４に係合させた状態で、アーム部１２０の先端に対して接続される。そして、ハウジング１３０は、アーム部１２０のワッシャ凹部１２４にワッシャ１５２を挿入し、ワッシャ１５２を介して接続凸部１４２の雌ネジ１４３に雄ネジ１５０を係合することにより、雄ネジ１５０を支持軸として回動可能に支持される。これにより、ハウジング１３０の回転が簡単な構造で実現可能となるので、ヘッドホン１００の小型軽量化が容易となる。
【００４９】
ハウジング１３０は、ワッシャ１５２を介して雄ネジ１５０によりアーム部１２０の先端に締付け支持されるので、雄ネジ１５０による締付トルクを適切に調節して締付けを規制することで、雄ネジ１５０を支持軸としてハンガー１１０に対して回動可能に支持される。これにより、組立時に締付けのバラツキが生じ難く、組立が容易となる。なお、締付けを規制するために、雄ネジ１５０およびワッシャ１５２の代わりに、段付ネジを用いてもよい。
【００５０】
ハウジング１３０は、雄ネジ１５０を介してアーム部１２０に支持された状態でアーム部１２０の接続凹部１２２に対して接続凸部１４２が摺動することで、ハンガー１１０に対して回転する。そして、凹状リブ１４４の円周方向の端部が凸状リブ１２４の円周方向の端部で係止されることで、ハンガー１１０に対するハウジング１３０の回転角度が規制される。これにより、ハンガー１１０に対するハウジング１３０の回転角度が簡単な構造で規制可能となるので、ヘッドホン１００の小型軽量化が容易となる。また、扇形リブ１２４、１４４の係合によって、ハンガー１１０に対するハウジング１３０の回転角度が規制されるので、回転力に対する抵抗強度を十分に確保することができる。
【００５１】
図７は、本実施形態に係るヘッドホン１００において音導管１３６の突設方向を調節する調節方法を示す説明図である。
【００５２】
図７に示すように、ユーザは、ハウジング１３０の周辺部を指で保持した状態で雄ネジ１５０を介してハウジング１３０を回転させ、ハンガー１１０に対するハウジング１３０の回転角度θを調節することで、先端にイヤピース１３８を取付けられた音導管１３６の突設方向を調節することができる。これにより、ユーザは、自らの外耳道の傾斜角度に応じて、良好な装着感が得られるように音導管１３６の突設方向を調節することで、ヘッドホン１００の装着性を向上させ、外耳道に対する気密性を維持することができる。
【００５３】
ここで、ハンガー１１０に対するハウジング１３０の回転角度θは、ヘッドホン１００装着時の水平面を基準として、先端にイヤピース１３８を取付けられた音導管１３６の突設方向が０°〜±４０°の範囲、特に仰角方向で０°〜＋４０°の範囲で可動となるように設定されることが好ましい。なお、図７には、音導管１３６の突設方向を０°〜±４０°の範囲で調節した状態におけるイヤピース１３８の配置が仮想線で示されている。これは、ユーザに対するサンプリング調査の結果であり、上記の範囲で回転角度θを規制することで、ほぼ全てのユーザにより十分に満足される装着性が得られることが統計的に確認されている。
【００５４】
以上説明したように、本実施形態に係るヘッドホン１００によれば、雄ネジ１５０（支持軸）を介してハンガー１１０に対してハウジング１３０を回転させることで、ハンガー１１０に対する音導管１３６の突設方向が調節可能となる。これにより、ユーザの外耳道の傾斜角度に応じて音導管１３６の突設方向を調節することで、ヘッドホン１００の装着性を向上させることができる。
【００５５】
また、外耳道の傾斜角度に応じて音導管１３６の突設方向を調節することで、外耳道に対する気密性を向上させ、周囲への音漏れ防止および音響特性を向上させることができる。特に、低出力のドライバユニット１３２を有するヘッドホン１００では、気密性による音響特性の変動が大きいため、音響特性を顕著に向上させることができる。
【００５６】
（変形例）
以下では、本発明が頭頂部を通るヘッドバンド形式のヘッドホン２００に適用される変形例について説明する。
【００５７】
図８は、本変形例に係るヘッドホン２００において音導管の突設方向を調節する調節方法を示す説明図である。図８に示すように、ヘッドホン２００は、一対のユニット、および一対のユニットが両端に取付けられたヘッドバンド２６０によって構成されている。ユニットは、円筒状のスライダ２１０（ハンガーとも称される。）を有し、スライダ２１０の上端に対して、ユーザの頭頂部に沿うように湾曲された略Ｕ字形状のヘッドバンド２６０が取付けられている。
【００５８】
ヘッドバンド２６０は、可撓性を有し、両端間の直線距離が所定の範囲で調節可能である。スライダ２１０は、一端でヘッドバンド２６０の端部に対して摺動自在に取り付けられる。スライダ２１０は、アーム部２２０の先端にハウジング２３０が取付けられ、ハウジング２３０から所定の方向に突設した音導管（不図示）の先端に弾性イヤピース２３８が取付けられている。ハウジング２３０は、アーム部２２０の先端に支持軸（不図示）を介して回動可能に支持される。
【００５９】
ユーザは、ヘッドバンド２６０を頭頂部に装着した状態で、自らの頭部・耳介の形状・サイズに応じて、一対のハウジング２３０が左右の耳介の略正面に位置するように、ヘッドバンド２００に対するスライダ２１０の摺動量を調節することができる。
【００６０】
ここで、本変形例に係るヘッドホン２００は、前述した実施形態に係るヘッドホン１００と同様に音導管の突設方向を調節するための調節機構が設けられている。なお、調節機構の機能構成、作用効果については、前述した実施形態に係るヘッドホン１００の場合と同様であるため説明を省略する。
【００６１】
ユーザは、ヘッドバンド２６０に対するスライダ２１０の摺動量を調節することができる。また、図９に示すように、ユーザは、ハウジング２３０の周辺部を指で保持した状態で支持軸を介してハウジング２３０を回転させ、スライダ２１０に対するハウジング２３０の回転角度θを調節することで、先端にイヤピース２３８を取付けられた音導管の突設方向を調節することができる。
【００６２】
これにより、ユーザは、自らの外耳道の傾斜角度に応じて、良好な装着感が得られるように音導管の突設方向を調節することで、ヘッドホン２００の装着性を向上させ、外耳道に対する気密性を維持することができる。
【００６３】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００６４】
【図１】本発明の一実施形態に係るヘッドホンの装着状態を示す説明図である。
【図２】本実施形態に係るヘッドホンの外観を示す説明図である。
【図３】ユニットの構成要素のうち特にハンガーの詳細を示す説明図である。
【図４】ヘッドホンの装着状態を詳細に示す説明図である。
【図５】音導管の突設方向を調節するための調節機構を示す説明図である。
【図６】ハンガーとハウジングとの組立状態を示す説明図である。
【図７】音導管の突設方向を調節する調節方法を示す説明図である。
【図８】音導管の突設方向を調節する調節方法を示す説明図である。
【符号の説明】
【００６５】
１００、２００    ヘッドホン
１１０、２１０    ハンガー（スライダ）
１２０、２２０    アーム部
１３０、２３０    ハウジング
１３６    音導管
１３８、２３８    イヤピース
１５０    雄ネジ（支持軸）
１６０、２６０    ヘッドバンド
【図１】
2009171303.tif 000003
【図２】
2009171303.tif 000004
【図３】
2009171303.tif 000005
【図４】
2009171303.tif 000006
【図５】
2009171303.tif 000007
【図６】
2009171303.tif 000008
【図７】
2009171303.tif 000009
【図８】
2009171303.tif 000010